(57)【要約】【課題】小型化、および、低コスト化が可能であり、さらに、性能上も安定した撮影画像が得られる電子撮影装置を提供する。【解決手段】電子撮影装置であるデジタルカメラ１は、電気回路基板４、および、該電気回路基板４を挟む状態で取り付けられる鏡枠ユニット５、ストロボユニット６、表示装置ユニット７、電池ケース８、記録媒体ケース９からなる電子撮影ユニットを備えたカメラ構造体１２と、該カメラ構造体１２を挿入し、収容するための開口部２ａを有する箱型の外装ケース２と、カメラ構造体１２を挿入後、上記開口部２ａを覆う外装ケース蓋３とからなる。【選択図】図１
2010061024.tif 000002
【特許請求の範囲】
【請求項１】
電気回路基板、および、該電気回路基板に取り付けられた電子撮影装置構成ユニットを備えた構造体と、
上記構造体を収容するための箱型の外装体と、
からなることを特徴とする電子撮影装置。
【請求項２】
電気回路基板、および、該電気回路基板に挟んで取り付けられた電子撮影装置構成ユニットを備えた構造体と、
上記構造体を収容するための箱型の外装体と、
とからなることを特徴とする電子撮影装置。
【請求項３】
上記箱型の外装体は、記録媒体挿抜方向或いは電源供給媒体挿抜方向側に上記構造体を挿入するための開口を有することを特徴とする請求項１または２に記載の電子撮影装置。
【請求項４】
上記箱型の外装体の記録媒体挿抜方向或いは電源供給媒体挿抜方向側に上記構造体を挿入するための開口を塞ぐための蓋部材を有することを特徴とする請求項３に記載の電子撮影装置。
【請求項５】
上記箱型の外装体には電子撮影装置操作部材が予め固着されていることを特徴とする請求項１乃至４に記載の電子撮影装置。
【請求項６】
電気回路基板、および、該電気回路基板を挟んで取り付けられた電子撮影装置構成ユニットを備えた構造体と、上記構造体を収容するための箱型の外装体とからなる電子撮影装置であって、上記箱型の外装体は、記録媒体挿抜方向或いは電源供給媒体挿抜方向側に上記構造体を挿入するための開口を有しており、上記開口は、蓋部材によって塞がれ、また、上記構造体は、構造体支持部材を介して上記外装体に支持され、さらに、上記外装体には電子撮影装置操作部材が予め固着されていることを特徴とする電子撮影装置。
【請求項７】
電気回路基板、および、該電気回路基板上に固定されたレンズユニット、さらに、上記電気回路基板を挟んで取り付けられた電子撮影装置構成ユニットを備えた構造体と、上記構造体を収容するための箱型の外装体とからなる電子撮影装置であって、
上記レンズユニットは、撮影可能な状態、非撮影状態における沈胴状態、上記外装体に挿入可能な退避状態の各状態を持つことを特徴とする電子撮影装置。
【請求項８】
電気回路基板、および、該電気回路基板を挟んで取り付けられた電子撮影装置構成ユニットを備えた構造体と、上記構造体を収容するための外装体とからなる電子撮影装置であって、
上記外装体は、上記電子撮影装置構成ユニットからなる構造体を挿入する開口が記録媒体挿抜方向或いは電源供給媒体挿抜方向側とその反対側とに設けられており、上記外装体の両側開口を塞ぐための蓋部材を有することを特徴とする電子撮影装置。
【発明の詳細な説明】
【技術分野】
【０００１】
本発明は、電子撮影装置の構成部材収容構造に関する。
【背景技術】
【０００２】
従来、デジタルカメラ等の電子撮影装置の構成部材収容構造としては、レンズ鏡枠、電気基板、電池等をカメラ本体に装着し、該カメラ本体を外装カバーで覆った収容構造が一般的に採用されている。
【０００３】
図１０は、上記従来の構成部材収容構造を採用した電子撮影装置の一例を示すデジタルカメラの分解斜視図である。本図に示すように上記従来のデジタルカメラ１００は、片面が開放された箱状の本体１０１と、前外装ケース１０２，後外装ケース１０３と、撮影レンズを保持するレンズ鏡枠１０４と、ストロボ発光部を備えたストロボユニット１０５と、記録媒体１０８が着脱可能な記録媒体ケース１０７が固着されているメイン基板ユニット１０６と、後外装ケース１０３の内面側に装着され、ＬＣＤを保持した表示ユニット１０９と、電池１１１が着脱可能な電池ケースユニット１１０とで構成されている。上記本体１０１には、レンズ鏡枠１０４、ストロボユニット１０５、メイン基板ユニット１０６がビスにより固着され、さらに、本体１０１に対してその前面側と後面側を覆う状態で前外装ケース１０２および後外装ケース１０３が固着され、デジタルカメラ１００が完成する。
【０００４】
なお、上述した構成部材収容構造と同様の構造を有するカメラとしては、例えば、特許文献１に開示されている。
【特許文献１】特開２００８−２０９２８号公報
【発明の開示】
【発明が解決しようとする課題】
【０００５】
近年、デジタルカメラ、携帯電話等のモバイル電子機器に対して、高機能でありながら小型化が進んでおり、例えば、外装体を強度部材とすることによって、本体等の骨格となすものを無くすようにする考えがある。
【０００６】
撮影装置の場合、撮影レンズを保持するレンズ鏡枠自体に外力、或いは、温度変化等による歪みが発生すると、その歪みによって撮影画像が劣化する。そのために、通常、上記レンズ鏡枠は、外力、温度変化に比較的強い部材に取り付けられている。図１０に示した従来のデジタルカメラ１００の構成部材収容構造においてもレンズ鏡枠１０４は、箱状の本体に固着することにより撮影画像の劣化を防止している。しかし、デジタルカメラとして外装カバーの他に箱状の本体を必要としており、小型化、および、低コスト化に対しては不利となっている。
【０００７】
本発明は、上述した問題を解決するためになされたものであり、小型化、および、低コスト化が可能であり、さらに、性能上も安定した撮影画像が得られる電子撮影装置を提供することを目的とする。
【課題を解決するための手段】
【０００８】
本発明の請求項１記載の電子撮影装置は、電気回路基板、および、該電気回路基板に取り付けられた電子撮影装置構成ユニットを備えた構造体と、上記構造体を収容するための箱型の外装体とからなる。
【０００９】
本発明の請求項２記載の電子撮影装置は、電気回路基板、および、該電気回路基板に挟んで取り付けられた電子撮影装置構成ユニットを備えた構造体と、上記構造体を収容するための箱型の外装体とからなる。
【００１０】
本発明の請求項３記載の電子撮影装置は、請求項１、または、２に記載の電子撮影装置において、上記箱型の外装体は、記録媒体挿抜方向或いは電源供給媒体挿抜方向側に上記構造体を挿入するための開口を有する。
【００１１】
本発明の請求項４記載の電子撮影装置は、請求項３に記載の電子撮影装置において、上記箱型の外装体の記録媒体挿抜方向或いは電源供給媒体挿抜方向側に上記構造体を挿入するための開口を塞ぐための蓋部材を有する。
【００１２】
本発明の請求項５記載の電子撮影装置は、請求項１乃至４に記載の電子撮影装置において、上記箱型の外装体には電子撮影装置操作部材が予め固着されている。
【００１３】
本発明の請求項６記載の電子撮影装置は、電気回路基板、および、該電気回路基板を挟んで取り付けられた電子撮影装置構成ユニットを備えた構造体と、上記構造体を収容するための箱型の外装体とからなる電子撮影装置であって、上記箱型の外装体は、記録媒体挿抜方向或いは電源供給媒体挿抜方向側に上記構造体を挿入するための開口を有しており、上記開口は、蓋部材によって塞がれ、また、上記構造体は、構造体支持部材を介して上記外装体に支持され、さらに、上記箱型の外装体には電子撮影装置操作部材が予め固着されている。
【００１４】
本発明の請求項７記載の電子撮影装置は、電気回路基板、および、該電気回路基板上に固定されたレンズユニット、さらに、上記電気回路基板を挟んで取り付けられた電子撮影装置構成ユニットを備えた構造体と、上記構造体を収容するための箱型の外装体とからなる電子撮影装置であって、上記レンズユニットは、撮影可能な状態、非撮影状態における沈胴状態、上記外装体に挿入可能な退避状態の各状態を持つことを特徴とする電子撮影装置。
【００１５】
本発明の請求項８記載の電子撮影装置は、電気回路基板、および、該電気回路基板を挟んで取り付けられた電子撮影装置構成ユニットを備えた構造体と、上記構造体を収容するための外装体とからなる電子撮影装置であって、上記外装体は、上記電子撮影装置構成ユニットからなる構造体を挿入する開口が記録媒体挿抜方向或いは電源供給媒体挿抜方向側とその反対側とに設けられており、上記外装体の両側開口を塞ぐための蓋部材を有する。
【発明の効果】
【００１６】
本発明によれば、小型化、および、低コスト化が可能であり、さらに、性能上も安定した撮影画像が得られる電子撮影装置を提供することができる。
【発明を実施するための最良の形態】
【００１７】
以下、図を用いて本発明の実施形態について説明する。
【００１８】
図１は、本発明の第一の実施形態の電子撮影装置であるデジタルカメラの分解斜視図である。
【００１９】
本実施形態のデジタルカメラ１は、図１に示すように外装ケース２内にレンズ鏡筒部である鏡枠ユニット、ストロボユニット、表示装置、電池ケース、記録媒体ケース等が組み付けられたメイン基板からなる後述のカメラ構造体１２を外装ケースの開口部２ａの左側から挿入して収容する。該収容状態で上記開口部を外装ケース蓋３で覆った状態で固着することにより該デジタルカメラ１が完成する。
【００２０】
なお、鏡枠ユニット５に内蔵される撮影レンズの光軸を図中「Ｏ」で示し、以下の説明では、光軸Ｏに直交する方向のうち、左右方向をＸ方向とし、光軸Ｏに直交する方向のうち、上下方向をＹ方向とする。また、左右方向は、カメラを被写体側から見た方向で示す。第一実施形態以外の説明においても同様とする。
【００２１】
デジタルカメラ１の構成についてさらに詳しく説明すると、デジタルカメラ１は、外装体である外装ケース２と、外装ケース蓋３と、さらに、電気回路基板であるメイン基板４および後述する電子撮影装置構成ユニットからなる構造体としてのカメラ構造体１２とを備えている。
【００２２】
なお、上記電子撮影装置構成ユニットは、撮影レンズを内蔵するレンズユニットとしての鏡枠ユニット５と、撮像素子を備えた撮像ユニット（図示せず）と、ストロボ発光部を備えたストロボユニット６と、ＬＣＤを備えた表示装置ユニット７と、電池ケース８と、記録媒体ケース９とからなる。
【００２３】
外装ケース２は、金属の成型品や絞り成型品、あるいは、高剛性の樹脂成型品からなる一体箱型形状の部材であり、Ｘ方向の端部に開口部２ａが形成されている。また、外装ケース２の前面部に撮影レンズ開口部２ｂとストロボ窓開口部２ｃが設けられ、背面部に表示装置開口部２ｄが設けられている。さらに、外装ケース２の開口部２ａ近傍のＹ方向対向面にビス挿通穴２ｆと、Ｘ方向内部底面内の上下端部に基板支持部２ｅが配されている。また、撮影レンズ開口部２ｂの周囲には鏡枠飾り（図示せず）が固着され、ストロボ窓開口部２ｃには、ストロボ窓部（図示せず）が固着され、さらに、表示装置開口部２ｄには、表示窓（図示せず）が固着されている。また、外装ケース２の上面部と背面部には、操作釦（図示せず）が配されている。
【００２４】
外装ケース蓋３には外装ケース２の開口部２ａに嵌入可能な嵌入部３ｂと、電池１０および記録媒体１１を挿抜するための挿入開口部３ａとが設けられている。また、嵌入部３ｂの内部上下に基板支持部３ｃが配されている。
【００２５】
メイン基板４は、高強度であって、温度変化に対する影響も少ないエンジニアリングプラスチック基板、例えば、ガラス繊維入りエポキシ樹脂基板等からなり、その厚さも鏡枠ユニット５等の電子撮影装置構成ユニットを支持するに十分な強度をもつ厚さとする。
【００２６】
このメイン基板４にはカメラの各電気制御素子が実装されており、さらに、メイン基板４の両面に電子撮影装置構成ユニットである鏡枠ユニット５、ストロボユニット６、表示装置ユニット７、上記撮像ユニット、さらに、電池ケース８および記録媒体ケース９がビス１５，１６，１７等によって固着され、カメラ構造体１２を形成する。
【００２７】
なお、鏡枠ユニット５とストロボユニット６は、メイン基板４の前面側に配され、表示装置ユニット７は背面側に配される。
【００２８】
また、電池ケース８には電源供給媒体である電池１０をＸ方向から挿抜するための電池挿入開口部８ａが設けられ、記録媒体ケース９にはメモリカードからなる記録媒体１１をＸ方向から挿抜するための記録媒体挿入開口部９ａが設けられる。電池挿入開口部８ａと記録媒体挿入開口部９ａとは、メイン基板４のＸ方向左端に位置している。
【００２９】
上記電子撮影装置構成ユニットが固着されたメイン基板４で構成されるカメラ構造体１２は、メイン基板４の主平面をＸＹ平面に平行な状態で保持して外装ケース２内に開口部２ａから挿入する。そして、メイン基板４の先端部上下を基板支持部２ｅに嵌入させて光軸Ｏ方向の位置決めをする。カメラ構成体挿入後、外装ケース蓋３の嵌入部３ｂを外装ケース２の開口部２ａに嵌入させて装着し、ビス１８をビス挿通穴２ｆを挿通させ、外装ケース蓋３のビス穴３ｄに螺着して固定する。そのとき、メイン基板４は、外装ケース蓋３の基板支持部３ｃに嵌入され、かつ、外装ケース蓋３によってＸ方向に押さえ込まれ、外装ケース２に対してＸＹ方向、光軸Ｏ方向に位置決めされる。カメラ構造体１２側の鏡枠ユニット５、ストロボユニット６、表示装置ユニット７は、それぞれ外装ケース２のそれぞれの開口部に対向した状態で位置決めされ、デジタルカメラ１の組み立てが完了する。なお、上記組み立て状態において、電池１０、および、記録媒体１１は、外装ケース蓋３の挿入開口部３ａからＸ方向に挿抜可能となる。
【００３０】
上述した構成を有するデジタルカメラ１では、カメラ構造体１２として高強度を有し、温度的にも安定した基板からなるメイン基板４に電子撮影装置構成ユニットの特に強度、温度に対して安定した支持を必要とする鏡枠ユニット５を固着支持する構造を適用し、かつ、カメラ構造体１２を箱型に形成された変形しにくい外装ケース２に挿入し、固定する。従って、図１０で説明した従来のカメラに比較してカメラ本体が不要であって、構成部品が少なくなり、かつ、鏡枠ユニット５等の電子撮影装置構成ユニットを外装ケース２で機械的にしっかり固定することによって、外力にも強く、温度的にも安定したカメラが実現でき、同時に、外形的にもコンパクトにまとめることができる。さらに、箱形状の外装ケース２を外装ケース蓋３で覆う構成を採用したことによりカメラの密閉構造がとり易く、防水構造が簡単に得られる。
【００３１】
次に、本発明の第二の実施形態の電子撮影装置であるデジタルカメラについて、該カメラの分解斜視図である図２を用いて説明する。
【００３２】
本実施形態のデジタルカメラ１Ａは、前記第一の実施形態の場合と同様に外装ケース２２内部に鏡枠ユニット（レンズ鏡筒部）、ストロボユニット、表示装置、電池ケース、記録媒体ケース等が組み付けられたメイン基板からなる後述のカメラ構造体３２を収容するが、本実施形態の場合は、図２に示すように外装ケースの下方側の開口部２２ａから挿入して収容する構造を採用し、それ以外の構成は、第一の実施形態の場合と同様であり、以下、特に異なる部分について詳しく説明する。
【００３３】
本実施形態のデジタルカメラ１Ａは、外装体である外装ケース２２と、外装ケース蓋２３と、さらに、電気回路基板であるメイン基板２４および後述する電子撮影装置構成ユニットからなる構造体としてのカメラ構造体３２とを備えている。
【００３４】
上記電子撮影装置構成ユニットは、撮影レンズを内蔵するレンズユニットである鏡枠ユニット２５と、撮像素子を備えた撮像ユニット（図示せず）と、ストロボ発光部を備えたストロボユニット２６と、ＬＣＤを備えた表示装置ユニット２７と、電池ケース２８と、記録媒体ケース２９とからなる。
【００３５】
外装ケース２２は、金属の成型品や絞り成型品、あるいは、高剛性の樹脂成型品からなる一体箱型形状の部材であり、Ｙ方向の下端部に開口部２２ａが形成されている。また、外装ケース２２の光軸Ｏ方向の前面部に撮影レンズ開口部２２ｂとストロボ窓開口部２２ｃが設けられ、光軸Ｏ方向の背面部に表示装置開口部２２ｄが設けられている。さらに、外装ケース２２の開口部２２ａ近傍のＸ方向対向面にビス挿通穴２２ｆと、Ｙ方向底面のＸ方向両端部に基板支持部２２ｅが配されている。また、撮影レンズ開口部２２ｂの周囲には鏡枠飾り（図示せず）が固着され、ストロボ窓開口部２２ｃには、ストロボ窓部（図示せず）が固着され、さらに、表示装置開口部２２ｄには、表示窓（図示せず）が固着されている。また、外装ケース２２の上面部、背面部には、操作釦群（図示せず）が配されている。
【００３６】
外装ケース蓋２３は、外装ケース２２の開口部２２ａに嵌入可能な嵌入部２３ｂと、電池３０および記録媒体３１を挿抜するための挿入開口部２３ａとを有している。また、嵌入部２３ｂの内面には、基板支持部２３ｃが配されている。
【００３７】
メイン基板２４は、高強度であって、温度変化に対する影響も少ないエンジニアリングプラスチック基板、例えば、ガラス繊維入りエポキシ樹脂基板等からなり、その厚さも鏡枠ユニット２５等の電子撮影装置構成ユニットを支持するに十分な強度をもつ厚さとする。
【００３８】
このメイン基板２４にはカメラの各電気制御素子が実装されており、さらに、メイン基板２４の両面に電子撮影装置構成ユニットである鏡枠ユニット２５、ストロボユニット２６、表示装置ユニット２７、上記撮像ユニット、さらに、電池ケース２８および記録媒体ケース２９がビス３５，３６，３７等によって固着され、カメラ構造体３２が形成される。
【００３９】
なお、鏡枠ユニット２５とストロボユニット２６は、メイン基板２４の前面側に配され、表示装置ユニット２７は背面側に配される。
【００４０】
また、電池ケース２８には電源供給媒体である電池３０をＹ方向から挿抜するための電池挿入開口部２８ａが設けられ、記録媒体ケース２９にはメモリカードからなる記録媒体３１をＹ方向から挿抜するための記録媒体挿入開口部２９ａが設けられる。電池挿入開口部２８ａと記録媒体挿入開口部２９ａとは、メイン基板２４のＹ方向下端側に位置している。
【００４１】
上記電子撮影装置構成ユニットが固着されたメイン基板２４で構成されるカメラ構造体３２は、メイン基板２４の主平面をＸＹ平面に平行な状態に保持して外装ケース２２内に開口部２２ａから挿入し、メイン基板２４の先端部を基板支持部２２ｅに嵌入させて光軸Ｏ方向の位置決めをする。そして、外装ケース蓋２３の嵌入部２３ｂをメイン基板２４の開口部２２ａに嵌入させて、外装ケース蓋２３を外装ケース２２に取り付け、ビス３８をビス挿通穴２２ｆを挿通させ、外装ケース蓋２３のビス穴２３ｄに螺着して固着する。この状態でメイン基板２４は、外装ケース蓋２３の基板支持部２３ｃに嵌入し、かつ、外装ケース蓋２３によってＹ方向に押さえ込まれ、また、外装ケース２２に対してＸＹ方向、光軸Ｏ方向ともに固定される。この取り付け状態でカメラ構造体３２側の鏡枠ユニット２５、ストロボユニット２６、表示装置ユニット２７は、それぞれ外装ケース２２のそれぞれの開口部に対向した状態で位置決めされ、デジタルカメラ２１の組み立てが完了する。なお、上記組み立て状態において、電池３０、および、記録媒体３１は、外装ケース蓋２３の挿入開口部２３ａからＹ方向から挿抜可能である。
【００４２】
上述した構成を有するデジタルカメラ１Ａによれば、前記第一の実施形態におけるデジタルカメラ１と同様の効果を奏し、構成部品の少なく、また、鏡枠ユニット２５等の電子撮影装置構成ユニットを外装ケース２２で機械的にしっかり固定し、外力にも強く、温度的にも安定したカメラが実現でき、安定した撮影画像が得られる。同時に、外形的にもコンパクトにまとめることができる。さらに、箱形状の外装ケース２２を外装ケース蓋２３で覆う構成を採用したことによりカメラの密閉構造がとり易く、防水構造が簡単に得られる。
【００４３】
次に、本発明の第三の実施形態の電子撮影装置であるデジタルカメラについて、図３〜６を用いて説明する。
【００４４】
図３は、本実施形態のデジタルカメラの分解斜視図である。図４は、上記デジタルカメラの縦断面図である。図５は、上記デジタルカメラにてカメラ構造体の外装ケース挿入時の光軸Ｏを含む縦断面図である。図６は、上記デジタルカメラにてカメラ構造体の外装ケース挿入後、レンズ鏡枠を沈胴位置にセットした状態における光軸Ｏを含む縦断面図である。
【００４５】
本実施形態のデジタルカメラ１Ｂは、前記第一の実施形態のデジタルカメラ１と同様に外装ケース２Ｂ内部に鏡枠ユニット（レンズ鏡筒）、ストロボユニット、表示装置、電池ケース、記録媒体ケース等が組み付けられたメイン基板からなるカメラ構造体１２Ｂが収容されるが、特に本実施形態の場合は、第一の実施形態に対して図３に示すようにメイン基板の上下端部に外装ケース内にて上記カメラ構造体を位置決めするための支持部材である構造体支持部材を採用していること、また、鏡枠ユニットが退避状態（外装ケース挿入可能状態）と沈胴状態（非撮影状態）と撮影可能状態に切り替え可能であること、さらに、上記構造体としてカメラ操作スイッチ群が配される操作スイッチＦＰＣ（フレキシブルプリント基板）が取り付けられているところが異なっている。その他の構成は、第一の実施形態の構成と同様であり、同一構成部材に対しては、同一符号を付し、以下、特に異なる構成部分について説明する。
【００４６】
本実施形態のデジタルカメラ１Ｂにおけるカメラ構造体１２Ｂは、外装体である外装ケース２Ｂと、外装ケース蓋３Ｂと、さらに、電気回路基板であるメイン基板４および後述する電子撮影装置構成ユニットからなる構造体としてのカメラ構造体１２Ｂとを備えている。
【００４７】
上記電子撮影装置構成ユニットは、撮影レンズを内蔵する鏡枠ユニット５Ｂと、撮像素子を備えた撮像ユニット（図示せず）と、ストロボ発光部を備えたストロボユニット６と、ＬＣＤを備えた表示装置ユニット７と、電池ケース８と、記録媒体ケース９と、操作スイッチ群４３ｂ，レリーズスイッチ４３ａが実装された操作スイッチＦＰＣ４３とからなる。
【００４８】
鏡枠ユニット５Ｂは、進退可能なレンズ鏡枠５Ｂａを内蔵し、レンズ鏡枠５Ｂａを退避避置Ｐ0 と、沈胴位置Ｐ1 と、撮影可能な繰り出し位置とに進退移動可能とする（図５，６）。退避位置Ｐ0 は、レンズ鏡枠５Ｂａが最も繰り込まれた位置であって、外装ケース２Ｂに鏡枠ユニット５Ｂを挿入することができる位置である（図５）。沈胴位置Ｐ1 は、退避位置Ｐ0 よりも僅かに繰り出され、電源スイッチオフ等により非撮影状態に切り替えられたときの位置である（図６）。上記撮影可能な繰り出し位置は、沈胴位置Ｐ1 から繰り出され、撮影が行われる位置である。
【００４９】
メイン基板４と上記電子撮影装置構成ユニットとからなるカメラ構造体１２Ｂを外装ケース２Ｂ内に挿入するに先立ってメイン基板４の上、下端部に上方構造体支持部材４１と下方構造体支持部材４２を装着する。その装着状態のカメラ構造体１２Ｂを外装ケース２Ｂ内に挿入する。
【００５０】
詳しくは、上、下方構造体支持部材４１，４２には、メイン基板４が嵌入可能なＸ方向に沿った支持溝４１ａ，４２ａがそれぞれ設けられており、該支持溝４１ａ，４２ａに上記電子撮影装置構成ユニットが固着されたメイン基板４の上、下端部に嵌入させる。さらに、メイン基板４に対してコネクタ接続された操作スイッチＦＰＣ４３を記録媒体ケース９の背面側を経て上方構造体支持部材４１の凹部４１ｂまで導き、操作スイッチ４３ｂを記録媒体ケース９の背面上の位置に、また、レリーズスイッチ４３ａを凹部４１ｂ上にそれぞれ固定する。
【００５１】
上述した操作スイッチＦＰＣ４３を含む上記電子撮影装置構成ユニットが固着され、かつ、上、下方構造体支持部材４１，４２が装着されたメイン基板４からなるカメラ構造体１２Ｂは、外装ケース２ＢのＸ方向開口部２ａよりスライド挿入される。図４は挿入後の状態での縦断面を示している。
【００５２】
なお、上、下方構造体支持部材４１，４２の光軸Ｏ方向の幅は、外装ケース２Ｂの光軸Ｏ方向内幅に対して僅かな圧入状態を含むガタなく嵌入する寸法とする。同様にメイン基板４に装着された状態の上、下方構造体支持部材４１，４２のＹ方向端面間の寸法は、外装ケース２ＢのＹ方向のうち高さに対して僅かな圧入状態を含むガタなく嵌入する寸法とする。外装ケース２Ｂには、第一の実施形態の場合に設けられていた基板支持部２ｅが不要であり、同様に外装ケース蓋３Ｂにも基板支持部３ｃは不要である。
【００５３】
カメラ構造体挿入後、外装ケース蓋３Ｂを外装ケース２Ｂの開口部２ａに嵌め込み、ビス１８をビス挿通穴２ｆに挿通させ、外装ケース蓋３Ｂのビス穴３ｄに螺着し、固定する。この固定状態でメイン基板４は、外装ケース蓋３ＢによってＸ方向に押さえ込まれ、光軸Ｏ方向およびＹ方向にもガタツキのない状態で支持される。
【００５４】
なお、外装ケース２Ｂのレンズ開口部の前面部には鏡枠飾り４５が貼付され、ストロボ開口部の前面部にはストロボ窓部材４６が貼付され、表示装置ユニット開口部の前面部には表示装置保護パネル４７が貼付され、さらに、レリーズスイッチ４３ａの上方対向位置には電子撮影装置操作部材としてのレリーズ釦４８と、操作スイッチ群４３ｂの背面対向位置には電子撮影装置操作部材としての操作スイッチ釦群４９とが予め配されている。
【００５５】
上述のようにカメラ構造体１２Ｂを外装ケース２Ｂに挿入する際に鏡枠ユニット５Ｂは、レンズ鏡枠５Ｂａを前述した退避位置Ｐ0 まで繰り込んだ状態にセットして、鏡枠ユニット５Ｂが外装ケース２Ｂと干渉しない状態とする。挿入後、レンズ鏡枠５Ｂａを駆動して前述した沈胴位置Ｐ1 まで繰り出す。この状態がデジタルカメラ１Ｂにおける電源スイッチオフの状態、または、非撮影状態となる。
【００５６】
上述した本実施形態のデジタルカメラ１Ｂによれば、前記第一の実施形態のデジタルカメラ１と同様の効果を奏し、さらに、カメラ構造体１２Ｂを外装ケース２Ｂ内に挿入したときの位置決めのために上、下方構造体支持部材４１，４２を適用することによって、カメラ構造体１２Ｂの箱型外装ケース２Ｂへの組み込みを容易に行うことができる。
【００５７】
さらに、鏡枠ユニット５Ｂのレンズ鏡枠５Ｂａを非撮影状態の沈胴位置Ｐ1 よりもさらに繰り込まれた退避位置Ｐ0 まで繰り込んだ状態で外装ケース２Ｂに挿入し、挿入後、レンズ鏡枠５Ｂａを非撮影状態である沈胴位置Ｐ1 まで繰り出すことにより、鏡枠ユニット５Ｂを外装ケース２Ｂに対して好適な状態で組み付けることができる。
【００５８】
なお、上述した第三の実施形態の場合、鏡枠ユニット５Ｂとしてレンズ鏡枠５Ｂａが外方に繰り出し可能なタイプを適用したものであったが、これに替えて撮影レンズ光学系として折り曲げ光学系の撮影光学系を適用した鏡枠ユニットであって、レンズ鏡枠が該鏡枠ユニットの前面から被写体側外方に突出して繰り出されないタイプのものを利用した変形例を提案することもでききる。
【００５９】
本変形例のデジタルカメラ１Ｃは、図７の本変形例のデジタルカメラにおける光軸Ｏに沿った縦断面図に示すように前記第三の実施形態のデジタルカメラ１Ｂに対して鏡枠ユニットおよび鏡枠飾りの構成、配置のみが異なり、他は、同一の構成を有している。従って、同一の構成要素に対しては、同一の符号を付し、以下、異なる点についてのみ説明する。
【００６０】
本変形例のデジタルカメラ１Ｃに適用されるカメラ構造体１２Ｃの鏡枠ユニット５Ｃは、上述した光軸を折り曲げる折り曲げ光学系を適用する撮影光学系を内蔵しており、メイン基板４の前面部に装着されている。外装ケース２Ｂの鏡枠ユニット５Ｃの光軸Ｏの撮影光束入射側前方に撮影窓部材４５Ｃが固着されている。鏡枠ユニット５Ｃから前方にはレンズ鏡枠は突出することがないので撮影窓部材４５Ｃの背面を外装ケース２Ｂの内面に略合致させることで鏡枠ユニット５Ｃの外装ケース２Ｂ内への挿入が可能である。
【００６１】
上述のように本変形例によると、折り曲げ光学系を採用する撮影光学系内蔵のデジタルカメラに対しても上述した第三の実施形態と同様の収容構造を採用することでカメラの密閉構造がとり易く防水構造が簡単に得られる。
【００６２】
次に、本発明の第四の実施形態の電子撮影装置であるデジタルカメラについて、該カメラの分解斜視図である図８を用いて説明する。
【００６３】
本実施形態のデジタルカメラ１Ｄは、前記第三の実施形態のデジタルカメラ１Ｂの収容構造に対して外装ケースにＸ方向両端に開口部を設け、Ｘ方向に対向する状態で一対の外装ケース蓋を適用する点が異なる。その他の構成は、第三の実施形態の場合と同様であり、同一の構成部材には同一符号を付し、以下、異なる点についてのみ説明する。
【００６４】
本実施形態のデジタルカメラ１Ｄにおける外装ケース２Ｄには、前述したようにＸ方向の両端部に開口部２ａ，２Ｄｇを設ける。また、一方の開口部２ａに嵌合可能な外装ケース蓋３Ｂと、他方の開口部２Ｄｇに嵌合可能な外装ケース蓋５１を適用する。
【００６５】
外装ケース２Ｄに対して第三の実施形態の場合と同様に上、下方構造体支持部材４１，４２を装着した状態のカメラ構造体１２ＢをＸ方向端部より挿入する。挿入後、外装ケース蓋３Ｂと外装ケース蓋５１とを外装ケース２Ｄの開口部２ａ，２Ｄｇに嵌入部３ｂ，５１ｂを嵌入し、ビス１８，５２を外装ケースビス挿通穴２ｆ，２Ｄｈを挿通させて外装ケース蓋ビス穴３ｄ，５１ｄに螺着し、固定する。この固定状態で外装ケース２Ｄの開口部２ａ，２Ｄｇは共に覆われ、同時にメイン基板４は、外装ケース２Ｄ内にてＸＹ方向、および、光軸Ｏ方向に固定支持される。
【００６６】
本実施形態のデジタルカメラ１Ｄにおいても、前記第三の実施形態のデジタルカメラ１Ｂと同様の効果を奏し、特に外装ケース２Ｄの両端部が開口状態であることから組み付け時における内部の調整作業が容易である。
【００６７】
次に、本発明の第五の実施形態の電子撮影装置であるデジタルカメラについて、該カメラの分解斜視図である図９を用いて説明する。
【００６８】
本実施形態のデジタルカメラ１Ｅは、前記第二の実施形態のデジタルカメラ１Ａの収容構造に対してメイン基板に構造体支持部材を装着する点が異なっている。その他の構成は、第二の実施形態の場合と同様であり、同一の構成部材には同一符号を付し、以下、異なる点についてのみ説明する。
【００６９】
図９に示すように本実施形態のデジタルカメラ１Ｅのカメラ構造体３２Ｅにおいては、鏡枠ユニット等の電子撮影装置構成ユニットが固着されたメイン基板２４のＸ方向両端部に右方構造体支持部材５１と左方構造体支持部材５２が装着される。
【００７０】
右、左方構造体支持部材５１，５２には、メイン基板２４が嵌入可能なＹ方向に沿った支持溝５１ａ，５２ａがそれぞれ設けられている。該支持溝５１ａ，５２ａに上記電子撮影装置構成ユニットが固着されたメイン基板２４の右、左端部に嵌入させ、右、左方構造体支持部材５１，５２を装着する。
【００７１】
メイン基板２４に右、左方構造体支持部材５１，５２を装着した状態のカメラ構造体３２Ｅが外装ケース２２Ｅの開口部２２ａから上方に向けてスライド挿入される。
【００７２】
なお、右、左方構造体支持部材５１，５２の光軸Ｏ方向の幅は、外装ケース２２Ｅの内幅に対して僅かな圧入状態を含むガタなく嵌入する寸法とする。同様にメイン基板２４に装着された状態の右、左方構造体支持部材５１，５２のＸ方向端面間の寸法も外装ケース２２ＥのＸ方向の内幅に対して僅かな圧入状態を含むガタなく嵌入する寸法とする。外装ケース２２Ｅには、第二の実施形態の場合に設けられていた基板支持部２２ｅが不要であり、同様に外装ケース蓋２３Ｅにも基板支持部２３ｃは不要である。
【００７３】
カメラ構造体挿入後、外装ケース蓋２３Ｅを外装ケース２２Ｅの開口部２２ａに嵌め込み、ビス３８をビス挿通穴２２ｆに挿通させ、外装ケース蓋２３Ｅのビス穴２３ｄに螺着し、固定する。この固定状態でメイン基板２４は、外装ケース蓋２３ＥによってＹ方向に押さえ込まれ、光軸Ｏ方向およびＹ方向にもガタツキのない状態で支持される。
【００７４】
上述した本実施形態のデジタルカメラ１Ｅによれば、前述した第二の実施形態のデジタルカメラ１Ａと同様の効果を奏し、さらに、カメラ構造体３２Ｅを外装ケース２２Ｅ内に挿入したときの位置決めのために右、左方構造体支持部材５１，５２を適用することによって、カメラ構造体３２Ｅの箱型外装ケース２２Ｅへの組み込みを容易に行うことができる。
【００７５】
この発明は、上記各実施の形態に限ることなく、各実施の形態における上、下方、及び右、左方構造体支持部材は、上、下方、及び右、左方において一体でもよく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００７６】
本発明による電子撮影装置は、小型化、および、低コスト化が可能であり、さらに、性能上も安定した撮影画像が得られる電子撮影装置としての利用が可能である。
【図面の簡単な説明】
【００７７】
【図１】本発明の第一の実施形態の電子撮影装置であるデジタルカメラの分解斜視図である。
【図２】本発明の第二の実施形態の電子撮影装置であるデジタルカメラの分解斜視図である。
【図３】本発明の第三の実施形態の電子撮影装置であるデジタルカメラの分解斜視図である。
【図４】図３のデジタルカメラの縦断面図である。
【図５】図３のデジタルカメラにてカメラ構造体の外装ケース挿入時の光軸を含む縦断面図である。
【図６】図３のデジタルカメラにてカメラ構造体の外装ケース挿入後、レンズ鏡枠を沈胴位置にセットした状態における光軸を含む縦断面図である。
【図７】第三の実施形態のデジタルカメラに対して折り曲げ光学系の撮影光学系を適用する変形例のデジタルカメラの光軸を含む縦断面図である。
【図８】本発明の第四の実施形態の電子撮影装置であるデジタルカメラの分解斜視図である。
【図９】本発明の第五の実施形態の電子撮影装置であるデジタルカメラの分解斜視図である。
【図１０】従来のデジタルカメラの分解斜視図である。
【符号の説明】
【００７８】
２，２Ｂ，２Ｄ，２２，２２Ｅ
…外装ケース（外装体）
２ａ，２Ｄｇ，２２ａ
…開口（外装体の開口）
３，３Ｂ，２３，２３Ｅ，５１
…外装ケース蓋（蓋部材）
４，２４…メイン基板（電気回路基板，構造体）
５，５Ｂ，５Ｃ，２５
…鏡枠ユニット
（レンズユニット，電子撮影装置構成ユニット，構造体）
６，２６…ストロボユニット
（電子撮影装置構成ユニット，構造体）
７，２７…表示装置ユニット
（電子撮影装置構成ユニット，構造体）
８，２８…電池ケース
（電子撮影装置構成ユニット，構造体）
９，２９…記録媒体ケース
（電子撮影装置構成ユニット，構造体）
１２，１２Ｂ，１２Ｃ，３２，３２Ｅ
…カメラ構造体（構造体）
４１…上方構造体支持部材（構造体支持部材）
４２…下方構造体支持部材（構造体支持部材）
５１…右方構造体支持部材（構造体支持部材）
５２…左方構造体支持部材（構造体支持部材）
４８…レリーズ釦（電子撮影装置操作部材）
４９…操作スイッチ釦群（電子撮影装置操作部材）
【図１】
2010061024.tif 000003
【図２】
2010061024.tif 000004
【図３】
2010061024.tif 000005
【図４】
2010061024.tif 000006
【図５】
2010061024.tif 000007
【図６】
2010061024.tif 000008
【図７】
2010061024.tif 000009
【図８】
2010061024.tif 000010
【図９】
2010061024.tif 000011
【図１０】
2010061024.tif 000012